(57)【要約】【課題】通信回線に複数のコンソールと複数のＦＰＤと管理サーバを接続する放射線撮影システムにおいて、複数のコンソールから一つのＦＰＤに対して撮影オーダが重複して登録されることを防ぎ、ひいては患者に対応する放射線画像の取り違えを防止する放射線システムを得る。【解決手段】管理サーバは、一つの制御端末装置からの撮影オーダを受け付けている受付中の状態である場合には、他の撮影オーダの受け付けを行わないことを特徴とする放射線撮影システムとする。【選択図】図３
2008167841.tif 000002
【特許請求の範囲】
【請求項１】
撮影予約を送信する制御端末装置と、
前記制御端末装置と通信回線を介して接続され、被検体を透過した放射線に基づいて放射線画像データを取得する放射線画像検出装置とを有する放射線撮影システムであって、
放射線画像検出装置に対する撮影予約を受け付ける撮影予約受付部と、
前記撮影予約受付部が撮影予約を受け付けた場合に、当該放射線画像検出装置の受付状態を受付中とする撮影状態制御部と、
前記受付状態が受付中である場合は、前記撮影予約受付部が受け付けた撮影予約に係る当該放射線画像検出装置に対する撮影予約の受付を禁止する受付制御部とを有することを特徴とする放射線撮影システム。
【請求項２】
撮影予約及び撮影予約を送信した制御端末装置を識別する制御端末ＩＤを受信する受信部と、
前記撮影予約受付部が受け付けた撮影予約を送信した制御端末装置を識別する制御端末ＩＤと、前記撮影予約受付部が受け付けた撮影予約に係る前記放射線画像検出装置を識別する検出装置ＩＤとを対応付けて記憶する記憶部とを有し、
前記受付制御部は、前記受信部が受信した制御端末ＩＤが、前記記憶部に記憶された制御端末ＩＤと一致する場合は、該制御端末ＩＤと対応付けられた検出装置ＩＤに対応する放射線画像検出装置に対する前記受信部が受信した撮影予約の受付を許可することを特徴とする請求項１に記載の放射線撮影システム。
【請求項３】
前記撮影状態制御部は、前記放射線画像検出装置が放射線画像データを取得した後に、該放射線画像検出装置の前記受付中の受付状態を解除することを特徴とする請求項１又は２に記載の放射線撮影システム。
【請求項４】
放射線画像検出装置は、放射線画像データを送信する送信部を有し、
前記撮影状態制御部は、放射線画像検出装置の前記送信部が放射線画像データを送信した後に、該放射線画像検出装置の前記受付中の受付状態を解除することを特徴とする請求項１乃至３いずれか１項に記載の放射線撮影システム。
【発明の詳細な説明】
【技術分野】
【０００１】
本発明は、被検体に放射線を照射し、被検体を透過した放射線量に基づいて放射線画像データを取得する放射線撮影システムに関し、とくに通信回線で接続された放射線撮影システムに関する。
【背景技術】
【０００２】
近年、被検体に放射線を照射し、被検体を透過した放射線を検出して放射線画像を得る方法として、デジタル方式の放射線撮影装置が用いられている。このような放射線撮影装置としては、いわゆるＦＰＤ（Ｆｌａｔ  Ｐａｎｅｌ  Ｄｅｔｅｃｔｏｒ）がある。
【０００３】
ＦＰＤの一例としては、基板上に複数の検出素子を２次元的に配列し、被検体を透過した放射線が蛍光体（シンチレータ）に照射され、照射された放射線量に応じて発光する可視光を検出素子により電荷に変換してコンデンサに蓄積し、コンデンサに蓄積した電荷を読み出すことにより放射線画像を得るものがある。このようなＦＰＤは撮影直後に放射線画像を得られるという即時性を有している。
【０００４】
また、近年は情報利用の利便性や各種処理の迅速性の観点から、患者診断情報や会計情報を一元管理するシステムとしてＨＩＳ（Ｈｏｓｐｉｔａｌ  Ｉｎｆｏｒｍａｔｉｏｎ  Ｓｙｓｔｅｍ）や、放射線科内の撮影オーダ情報等を管理するシステムとしてＲＩＳ（Ｒａｄｉｏｌｏｇｙ  Ｉｎｆｏｒｍａｔｉｏｎ  Ｓｙｓｔｅｍ）等が導入されている。各種の放射線画像撮影装置や撮影装置の制御端末等は病院内に配置されたＬＡＮ等のネットワークを介してＲＩＳやＨＩＳと接続されている。
【０００５】
このような病院内のネットワークに、複数のコンソール（制御端末）と通信機能を備えた複数のＦＰＤとを接続させた放射線画像システムが開示されている（特許文献１参照）。特許文献１に記載の放射線画像システムでは、放射線技師や医師等の操作者による画像確認の効率を向上させるために、撮影前にコンソールから選択したＦＰＤに撮影オーダを送信して登録しておき、撮影後にはＦＰＤからその登録を行ったコンソールに放射線画像を送信させるものである。これにより操作者は撮影後に撮影オーダ登録を行ったコンソールに戻ることで放射線画像の確認を行うことができる。
【０００６】
また、可搬性のカセッテ型ＦＰＤはその内部メモリに複数の放射線画像を記憶することが可能となるので、一度に複数の撮影オーダを登録し、複数の撮影を連続して行うという使い方も可能となっている。
【特許文献１】特開２００６−１２２３０４号公報
【発明の開示】
【発明が解決しようとする課題】
【０００７】
このようなＦＰＤに対しては複数の撮影オーダを登録することが可能であることから、複数のコンソールと複数のＦＰＤが同一のネットワークに接続された放射線画像システムにおいては、意図せずに複数の操作者が別々のコンソールから一つの（同一の）ＦＰＤに対して、個々の操作者が選択した異なる患者の撮影予約を続けて登録してしまう場合がある。そのような場合には患者と放射線画像の対応付けを取り違えるという重大な問題が生じる恐れがある。
【０００８】
本発明は上記問題に鑑み、同一の通信回線上に複数のコンソールと複数のＦＰＤ（放射線画像検出装置）を接続する放射線撮影システムにおいて、複数のコンソールから一つのＦＰＤに対して撮影予約が重複して登録されることを防ぎ、ひいては患者に対応する放射線画像の取り違えを防止する放射線システムを得ること目的とするものである。
【課題を解決するための手段】
【０００９】
上記の目的は、下記に記載する発明により達成される。
【００１０】
（１）撮影予約を送信する制御端末装置と、前記制御端末装置と通信回線を介して接続され、被検体を透過した放射線に基づいて放射線画像データを取得する放射線画像検出装置とを有する放射線撮影システムであって、
放射線画像検出装置に対する撮影予約を受け付ける撮影予約受付部と、前記撮影予約受付部が撮影予約を受け付けた場合に、当該放射線画像検出装置の受付状態を受付中とする撮影状態制御部と、前記受付状態が受付中である場合は、前記撮影予約受付部が受け付けた撮影予約に係る当該放射線画像検出装置に対する撮影予約の受付を禁止する受付制御部とを有することを特徴とする放射線撮影システム。
【００１１】
（２）撮影予約及び撮影予約を送信した制御端末装置を識別する制御端末ＩＤを受信する受信部と、前記撮影予約受付部が受け付けた撮影予約を送信した制御端末装置を識別する制御端末ＩＤと、前記撮影予約受付部が受け付けた撮影予約に係る前記放射線画像検出装置を識別する検出装置ＩＤとを対応付けて記憶する記憶部とを有し、
前記受付制御部は、前記受信部が受信した制御端末ＩＤが、前記記憶部に記憶された制御端末ＩＤと一致する場合は、該制御端末ＩＤと対応付けられた検出装置ＩＤに対応する放射線画像検出装置に対する前記受信部が受信した撮影予約の受付を許可することを特徴とする（１）に記載の放射線撮影システム。
【００１２】
（３）前記撮影状態制御部は、前記放射線画像検出装置が放射線画像データを取得した後に、該放射線画像検出装置の前記受付中の受付状態を解除することを特徴とする（１）又は（２）に記載の放射線撮影システム。
【００１３】
（４）放射線画像検出装置は、放射線画像データを送信する送信部を有し、前記撮影状態制御部は、放射線画像検出装置の前記送信部が放射線画像データを送信した後に、該放射線画像検出装置の前記受付中の受付状態を解除することを特徴とする（１）乃至（３）いずれかに記載の放射線撮影システム。
【発明の効果】
【００１４】
本発明によれば、同一のネットワークに複数のコンソールと複数のＦＰＤが接続された放射線撮影システムであっても、複数のコンソールから一つのＦＰＤに対して異なる患者の撮影予約が重複して登録されることを防ぐように管理することにより、患者に対応する放射線画像の取り違えを防止する放射線システムを得ることが可能となる。
【発明を実施するための最良の形態】
【００１５】
本発明を実施の形態に基づいて説明するが、本発明は該実施の形態に限られない。
【００１６】
図１は、実施形態に係る放射線撮影システムの一部の概略図である。放射線撮影システムは、被検体１００に放射線を照射する照射装置Ｒと、被検体を透過した放射線量に基づいて放射線画像データを取得する放射線画像検出装置Ｆと、各種操作を行う制御端末装置ＣＳ（以下、単に制御端末ＣＳという）と、管理サーバＭＳを有しており、これらは、各装置の通信部を介して通信回線Ｎにより接続されている。なお通信回線Ｎの通信方式は、Ｅｔｈｅｒｎｅｔ（登録商標）規格のＬＡＮ方式を用いている。
【００１７】
［照射装置］
照射装置Ｒは、制御部Ｒ１、通信部Ｒ２、メモリＲ３、操作表示部Ｒ５、放射線照射部Ｒ６を有する。
【００１８】
放射線照射部Ｒ６は、重金属からなる陽極を有し、フィラメントに高電圧、例えば２０ｋＶ〜１５０ｋＶを印加することにより電子線を発生させ、電子線を陽極（ターゲット）に当てることにより放射線を発生させる。陽極は、固定陽極あるいは、耐久の点ですぐれる回転陽極が用いられる。実施形態で使用される放射線は、例えば波長が１×１０-10ｍ程度のＸ線が使用される。
【００１９】
制御部Ｒ１は、ＣＰＵ、システムメモリ等から構成され、システムメモリに記憶されている各種プログラムをＣＰＵが実行することにより各種の制御を行う。
【００２０】
［放射線画像検出装置］
放射線画像検出装置Ｆについて図１と図２を用いて説明する。
【００２１】
図２は、放射線画像検出装置Ｆの外観図である。図１と共通する部分に関しては同符号を付している。放射線画像検出装置Ｆは、可搬型の撮影装置でありいわゆるＦＰＤ（Ｆｌａｔ  Ｐａｎｅｌ  Ｄｅｔｅｃｔｏｒ）と称されるものである。放射線画像検出装置Ｆは、図に示すように、制御部Ｆ１、通信部Ｆ２、メモリＦ３、信号制御回路Ｆ６、撮像パネルＦ７を有する。
【００２２】
送信部として機能する通信部Ｆ２は、放射線撮影室内に設置された無線アクセスポイント２との間で無線通信を行う。無線方式は、ＩＥＥＥ８０２．１１規格に準拠した無線ＬＡＮ方式を用いるが、これに限られずＵＷＢ（Ｕｌｔｒａ  Ｗｉｄｅ  Ｂａｎｄ）、Ｂｌｕｅｔｏｏｔｈ等の他の電波方式あるいは、赤外線通信等の光学方式のものを用いてもよい。
【００２３】
放射線画像データ取得部として機能する撮像パネルＦ７はシンチレータ７１と、光電変換素子群７２からなり、シンチレータ７１は放射線照射部Ｒ６から照射された放射線量に応じて可視光を発光する。発光した可視光を光電変換素子群７２で光量に応じたデジタル画像信号に変換し、そのデジタル画像信号を読み出してメモリＦ３に一時的に記憶する。なお光電変換素子群７２は、画素毎に光を電気信号に変換する複数の光電変換素子（受光素子とも称す）が２次元配置されており、一つの光電変換素子は放射線画像の１画素に対応する。これらの画素は例えば２００〜４００画素／２５．４ｍｍの密度で、被検体の撮影領域の大きさに渡って配置されている。
【００２４】
またメモリＦ３には、その容量に応じて、複数枚の放射線画像を記憶可能であり、例えば、撮影を続けて行い数枚〜十数枚程度の放射線画像データをメモリＦ３に記憶しておくことが可能である。また、管理サーバＭＳを介して、制御端末ＣＳから送信される撮影予約もメモリＦ３に記憶される。
【００２５】
制御部Ｆ１は、ＣＰＵ、システムメモリ等から構成され、システムメモリに記憶されている各種プログラムをＣＰＵが実行することにより放射線画像検出装置Ｆ全体の制御を行う。バッテリからなる電源部３４は、放射線画像検出装置Ｆ全体への電力供給を行う。コネクタ３５は、撮影終了後に、放射線画像検出装置Ｆ等と物理的に接続することにより、照射装置Ｒとの間でデータ通信（有線通信）、及び電源部３４への充電等を行う。
【００２６】
撮像パネルＦ７は、照射された放射線の強度に応じて光電変換素子群７２に蓄積された電気エネルギー、を読み出す走査駆動回路Ｆ６１と、蓄積された電気エネルギーを画像信号として出力する信号選択回路Ｆ６２とに接続されている。なお、筐体４０の内部の走査駆動回路Ｆ６１、信号選択回路Ｆ６２、制御部Ｆ１、メモリＦ３、通信部Ｆ２等は、図示しない放射線遮蔽部材で覆われており、筐体４０の内部での放射線散乱や、各回路への放射線照射を防止する。
【００２７】
なお、本実施形態においては、シンチレータを用いて放射線を間接的に検知する間接型ＦＰＤについて説明を行ったが、これに限られず、光電変換素子が放射線を直接、電気信号に変換する直接型ＦＰＤを用いてもよい。
［制御端末］
制御端末ＣＳ（コンソールとも称される）は、制御部Ｃ１、通信部Ｃ２、メモリＣ３、画像処理部Ｃ４、操作表示部Ｃ５を有する。操作表示部Ｃ５は、液晶ディスプレイの表示部と、表示部に重ねて配置されているタッチパネル部、マウス、キーボード等からなる操作部を有する。各種撮影オーダは、操作表示部Ｃ５から操作入力されるか、あるいは通信回線Ｎに接続されているＲＩＳやＨＩＳ等のサーバ（図示せず）あるいは管理サーバＭＳ、から受信する。
【００２８】
画像処理部Ｃ４では、放射線画像検出装置Ｆで取得した放射線画像データ（以下、画像データとも称す）に対して、濃度ゲイン調整、空間周波数変換等の画像処理を行う。
【００２９】
メモリＣ３は、管理サーバＭＳから送信されて通信回線Ｎを介して受信した撮影オーダや放射線画像検出装置Ｆから送信された放射線画像データを記憶したり、また撮影オーダと放射線画像データとを対応付けて記憶したりする。また制御端末ＣＳには、それぞれの制御端末ＣＳを識別するために、制御端末ＣＳにユニークな「制御端末ＩＤ」情報が付与されており、メモリＣ３に予め記憶されている。
【００３０】
［管理サーバ］
管理サーバＭＳは、制御部Ｍ１、受信部として機能する通信部Ｍ２、メモリＭ３を有する。メモリＭ３のデータベースには、患者情報、撮影オーダ情報、各放射線画像検出装置の撮影可能サイズ及びメモリ容量等が、記憶されている。
【００３１】
制御部Ｍ１は、ＣＰＵ、システムメモリ等から構成され、システムメモリに記憶されている各種プログラムをＣＰＵが実行することにより放射線画像検出装置Ｆ全体の制御を行う。なお、制御部Ｍ１においては、放射線画像検出装置Ｆの受付状態を常時管理している。
【００３２】
「受付中」の状態とは、その始期は後述する撮影予約を管理サーバＭＳが制御端末ＣＳから受け付けた時点であり、終期は放射線画像検出装置Ｆが当該撮影予約に係る全ての放射線画像データを取得した（旨の情報を管理サーバＭＳが受信した）時点あるいはその取得した放射線画像データを制御端末ＣＳに送信完了した（旨の情報を受信した）時点である。「空き」の状態とは、「受付中」でない状態であり、撮影予約に係る全ての放射線画像データを取得した（旨の情報を受信した）時点あるいはその取得した放射線画像データを制御端末ＣＳに送信完了した（旨の情報を受信した）時点、から制御端末ＣＳから撮影予約を受け付けるまでである。これらの受付状態はメモリＭ３に記憶している。また、受付状態が「受付中」の場合、当該受け付けた撮影予約を送信した制御端末ＣＳの制御端末ＩＤ情報を、受付状態と併せてメモリＭ３に記憶する。すなわち、制御部Ｍ１が撮影予約受付部、撮影状態制御部及び受付制御部の機能を有するものであり、メモリＭ３が記憶部として機能するものである。
【００３３】
図３は、実施形態に係る放射線撮影システムの概略図である。同図に示すように、放射線撮影システムには、複数の照射装置Ｒ１、Ｒ２と、複数の放射線画像検出装置Ｆ１〜Ｆ４（以下、ＦＰＤ１〜ＦＰＤ４、あるいはＦＰＤと称す）と、複数の制御端末ＣＳ１〜ＣＳ４と、管理サーバＭＳとが、同一の通信回線Ｎ上に接続されている。なお、放射線室１でのＦＰＤ１、ＦＰＤ２は、無線方式により通信回線Ｎと接続を行っているが、放射線撮影室２でのＦＰＤ３、ＦＰＤ４はコネクタ３５とクレイドル（図示せず）を介して、有線方式により通信回線Ｎと接続している。
【００３４】
なお、各制御端末ＣＳ、各放射線画像検出装置Ｆ、には識別のためのユニークなＩＤ番号として制御端末ＩＤ、ＦＰＤのＩＤ（検出装置ＩＤ）がそれぞれ付与されている。
【００３５】
図４は、実施形態に係る放射線撮影システムの制御フローを示す図である。ＦＰＤ、管理サーバ、及び操作者（放射線技師）が操作する制御端末ＣＳとの制御フローを示したものである。まず、管理サーバＭＳは、ＦＰＤ状態一覧作成のサブルーチン処理（ステップＳ１１）を実行する。
【００３６】
図５は、図４のステップＳ１１に示すＦＰＤ状態一覧作成のサブルーチン処理を示す図である。同図のステップ１１１で、管理サーバの制御部Ｍ１は、通信回線Ｎに接続している全てのＦＰＤに対して撮影予約の登録情報の問い合わせを行う。
【００３７】
各ＦＰＤは、問い合わせに対して登録情報の送信を行う（ステップＳ１１２）。登録情報とは、メモリＦ３に記憶している撮影予約、とその撮影予約の受付を行った制御端末ＩＤなどである。
【００３８】
管理サーバの制御部Ｍ１は、接続している全てのＦＰＤから回答を受信した場合（ステップＳ１１３のＹｅｓ）には、受信した回答から各ＦＰＤの状態一覧を作成し（ステップＳ１１４）終了する。
【００３９】
図６は、ステップＳ１１４で作成されるＦＰＤの状態の一覧の例を示したものである。検出装置ＩＤとしてのＦＰＤの識別ＩＤ（ａ１）、受付状態（ａ２）、制御端末ＩＤ（ａ３）、等が一覧として作成されている。なお、制御端末ＩＤと検出装置ＩＤとは対応づけられてメモリＭ３に記憶される。
【００４０】
図４の制御フローの説明にもどる。制御端末ＣＳでは、操作表示部Ｃ５による撮影オーダの入力が行われる（ステップＳ１２）。なお操作表示部Ｃ５による入力に代えて、制御部Ｃ１が、通信回線Ｎに接続されている管理サーバＭＳに記憶されている撮影オーダを取得し、操作表示部Ｃ５に一覧表示された撮影オーダの中から操作者が必要な撮影オーダを選択するようにしてもよい。
【００４１】
図７は、管理サーバＭＳのメモリＭ３に保存される複数の撮影オーダの一例を示したものである。図７に示す様に、撮影オーダには、それぞれユニークな撮影オーダＩＤ（ｐ１）を付与し、各撮影オーダには患者ＩＤ（ｐ２）、診療科（ｐ６）、撮影部位（ｐ７）および撮影方向（ｐ８）の撮影条件、の情報が含まれいる。また患者ＩＤ（ｐ２）には、患者氏名（ｐ３）、性別（ｐ４）、年齢（ｐ５）等の患者情報が関連づけられているので、患者情報も合わせて保存される。患者情報は患者を特定するためのものであり、患者を特定することにより、他の患者との取り違えを防止する。例えば撮影オーダＩＤ「６１２０１００１」は、診療科が外科で、患者ＩＤ「１０００８５」の鈴木一郎氏に対して、胸部で正面Ａ−Ｐ（全面側から背面側への照射）の撮影を実行するものであること示している。
【００４２】
続く、ステップＳ１３では、制御端末ＣＳの制御部Ｃ１は、管理サーバＭＳに対して通信回線Ｎに接続しているＦＰＤと、その状態一覧の問い合わせを行う。このとき、制御端末ＣＳに予め付与された制御端末ＩＤを送信する。管理サーバ側では、制御部Ｍ１が各ＦＰＤの受付可否を判断した情報を付与して、ＦＰＤ一覧情報を送信する（ステップＳ１４）。ここで、ステップＳ１４のサブルーチン処理の前に、受付可否を判断した情報とはどういったものかを図に基づいて説明する。
【００４３】
図８は、制御端末ＣＳにおける操作表示部Ｃ５の表示画面の詳細図である。同図に示すように、ステップＳ１２で入力もしくは選択した撮影オーダ情報が表示欄Ｄ２に表示されるとともに、表示欄Ｄ１には、管理サーバＭＳがステップＳ１１で作成し、ステップＳ１４で受付可否を判断して制御端末ＣＳに送信したＦＰＤの状態一覧が表示される。また表示欄Ｄ３には、操作を行っている制御端末装置を識別するための制御端末ＩＤを表示している。
【００４４】
図８の表示欄Ｄ１の受付可否の列Ｄ１０１に示す「○」、「×」の符号が、受付可否を判断した情報である。以下、その判断を行う制御フローについて説明を行う。
【００４５】
［受付可否判断のサブルーチン処理］
図９は、図４に示すステップＳ１４のサブルーチン処理を示す図である。図９（ａ）は一の実施例である。
【００４６】
図９（ａ）のステップ１４１において、管理サーバＭＳの制御部Ｍ１は、通信回線Ｎに接続されたＦＰＤ、例えばＦＰＤ１〜ＦＰＤ４、の中から一つのＦＰＤを選択する。制御部Ｍ１は、ステップＳ１１４で作成された状態一覧を参照し、ステップＳ１４１で選択したＦＰＤの受付状態（図６のａ２）が「受付中」状態であれば（ステップＳ１４２のＹｅｓ）、受付可否を「受付不可」に設定する（ステップＳ１４４）。一方、「受付中」状態でない、すなわり「空き」であれば（ステップＳ１４２のＮｏ）、受付可否を「受付可能」に設定する（ステップＳ１４３）。すなわち図８の受付可否Ｄ１０１は「○」になる。これを全てのＦＰＤに対して判断が終了するまで繰り返す（ステップＳ１４５）。
【００４７】
このように放射線画像検出装置Ｆが一つの制御端末装置ＣＳからの撮影予約を受け付けている受付中の状態である場合には、管理サーバＭＳにおいて受付可否を「受付不可」の状態に設定することにより、以降、管理サーバＭＳにおいて、当該放射線画像検出装置Ｆに対する他の撮影予約は受け付けないよう管理するので、一台の放射線画像検出装置Ｆにおいて撮影予約が重複して登録されることを防ぐことができる。
【００４８】
図９（ｂ）は図９（ａ）の変形例であり、共通する処理は同符号を付している。図９（ｂ）の変形例では、状態一覧の受付状態（図６のａ２）「受付中」の状態（ステップＳ１４２のＹｅｓ）であっても、状態一覧としてメモリＭ３に登録（記憶）されている制御端末ＩＤ（図６のａ３）と、ステップＳ１３で送信された制御端末ＩＤが一致する場合（ステップＳ１４２ｂのＹｅｓ）には、受付可否を「受付可能」に設定する（ステップＳ１４３）。そして制御端末ＩＤと対応付けられた検出装置ＩＤ（ＦＰＤのＩＤ）に対応する放射線画像検出装置Ｆに対する撮影予約の受付を許可する。
【００４９】
このように同一の制御端末ＣＳから撮影予約をする場合には、当該放射線画像検出装置Ｆに対する複数の撮影予約の受付を許可するので、操作者は１撮影が終了しても、制御端末ＣＳから次の撮影予約を行うことなく連続して撮影を行うことができるので、撮影が効率良くおこなえるといる利点がある。またこのような状況では、一人の操作者が、一台の制御端末ＣＳを用いて連続的に撮影予約を行う場合であり、同一の患者に対する複数の撮影を行う場合がほとんどである。まれに、異なる患者の撮影オーダを選択することも予想されるが、このような場合においては操作者が複数の患者にわたる撮影を連続して行うことを意識しているので、１台のＦＰＤに撮影予約を重複して登録することによる患者の取り違え問題は生じ難い。
【００５０】
図４のフローの説明に戻る。ステップＳ１５では、一覧から撮影をするＦＰＤの選択を行う。この選択方法について、前述の図８の表示画面に基づいて説明を行う。
【００５１】
図８において、表示欄Ｄ１に表示されるＦＰＤ一覧のうち、状態欄Ｄ１７が「受付中」のＦＰＤは、他の制御端末装置からの撮影オーダは受け付けないようになっているので、受付可否欄Ｄ１０１に受付不可を示す「×」が表示されている（Ｄ１０１ａ）。なお同図の例においては図９（ｂ）に示す制御フローにより、Ｄ１４に示すＦＰＤ０４は、状態欄Ｄ１７が「受付中」であるが、撮影予約とともに登録されている制御端末ＩＤ（Ｄ１０２）の「ＣＳ０２」が、操作を行っている制御端末ＩＤのＣＳ０２（Ｄ３欄）と一致しているので、他の制御端末装置からという条件には当てはまらないこととなる（図９のステップＳ１４２ｂ）。このことから受付可否欄Ｄ１０１に受付可能を示す「○」が表示されている（Ｄ１０１ｂ）。なお、Ｄ１欄の「場所」の欄Ｄ１０３は、各ＦＰＤがどの場所に存在しているか、具体的に、通信回線Ｎに接続している場所を示したものである。
【００５２】
ステップＳ１５では、受付可能なＦＰＤの一覧から撮影を行うＦＰＤを選択した上で（図６の例では、ＦＰＤ０３）、選択実行釦Ｄ４を押すことにより、ＦＰＤの選択は完了する。制御端末ＣＳの制御部Ｃ１は、撮影予約及び当該撮影予約に係る撮影オーダを、制御端末ＩＤとともに管理サーバＭＳに送信する（ステップＳ１６）。管理サーバＭＳでは、ステップＳ１６で送信されたＦＰＤのＩＤ、制御端末ＩＤ、撮影予約及び撮影オーダを登録し、該当するＦＰＤ（例えばＦＰＤ０３）の状態を「受付中」状態にセットする（ステップＳ１７）。
【００５３】
管理サーバＭＳの制御部Ｍ１は、ステップＳ１７で受け付けた撮影に関する情報として、制御端末ＩＤ、撮影予約、撮影オーダ、並びに当該撮影予約を登録した旨、を該当するＦＰＤ（例えばＦＰＤ０３）に送信し（ステップＳ１８）、受信したＦＰＤではその情報をメモリＦ３に登録して（ステップＳ２０）終了する。
【００５４】
なお、実施形態の例においては、制御端末ＩＤ、ＦＰＤのＩＤは、独自の制御番号を付与したが、通信回線に接続する際のＩＰアドレスあるいはＭＡＣアドレスを用いても良い。
【００５５】
このように同一の通信回線上に、管理サーバＭＳと複数の制御端末ＣＳと複数のＦＰＤを接続可能な放射線撮影システムにおいて、ＦＰＤが一つの制御端末装置からの撮影予約を受け付けている「受付中」状態である場合には、以降、当該ＦＰＤに対する他の撮影予約は受け付けないように管理サーバＭＳが管理することにより、複数のコンソールから一つのＦＰＤが重複して撮影予約されることを防ぎ、ひいては患者に対応する放射線画像の取り違えを防止する放射線システムを得ることが可能となる。
【００５６】
［「受付中」状態を解除する制御］
図１０は、その他の実施形態に係る放射線撮影システムの制御フローを示す図である。同図に示すフローは、放射線画像の撮影等が終了した後に、「受付中」の状態を解除するものであり、図４の制御フローに続くものである。
【００５７】
まず、ステップＳ３１で、ＦＰＤは、ステップＳ２０で登録した撮影オーダに基づき被検体（患者）１００に対して放射線画像の撮影を行う。ここでいう撮影とは、照射装置Ｒからの放射線を被検体１００に向けて照射し、被検体を透過した放射線量に基づいて放射線画像データをＦＰＤのメモリＦ３に取得することを意味する。
【００５８】
ＦＰＤは、撮影オーダが複数であれば撮影を続けて行い、全ての撮影オーダの枚数分の撮影が完了した場合には（ステップＳ３２のＹｅｓ）、撮影オーダ完了を示す信号をＦＰＤのＩＤとともに管理サーバＭＳに送信する（ステップＳ３３）。撮影オーダ完了を受信した管理サーバＭＳでは、ステップＳ１１で作成された状態一覧において、ステップＳ３３で送信されたＦＰＤのＩＤに該当するＦＰＤ（例えばＦＰＤ０３）の「受付中」状態を解除する（ステップＳ３４）。ＦＰＤ０３は、「受付中」状態の解除により、以降、他の制御端末ＣＳからの撮影予約の登録を受け付けることが可能となる。
【００５９】
ＦＰＤでは、撮影した放射線画像データを自身のＦＰＤのＩＤとともに、ステップＳ２０で登録した制御端末ＩＤが付与された制御端末ＣＳに対して送信する（ステップＳ３５）。制御端末ＣＳでは、ステップＳ３５で送信された放射線画像データをメモリＣ３に記憶し、画像処理部Ｃ４で必要な画像処理を行った上で、操作表示部Ｃ５の表示画面に放射線画像を表示（ステップＳ３６）して終了する。
【００６０】
図１１は、図１０の変形例を示す制御フローを示す図である。同図に示すフローは、「受付中」状態の解除を画像データの送信完了により行うものである。図１０の制御フローに対して、破線枠内を変更したものであり、その他は図１０と共通するので説明を省略する。
【００６１】
ＦＰＤはステップＳ２０（図４）で登録した制御端末ＩＤが付与された制御端末ＣＳに放射線画像データを送信し、制御端末ＣＳで全ての放射線画像データの受信が完了した場合には（ステップＳ４１のＹｅｓ）、登録された撮影オーダに係る画像データの受信を完了した旨を、ステップＳ３５で受信したＦＰＤのＩＤとともに管理サーバＭＳに送信する（ステップＳ４２）。これにより、管理サーバＭＳではステップＳ４２で送信されたＦＰＤのＩＤに該当するＦＰＤの「受付中」状態を解除する（ステップＳ４３）。また当該ＦＰＤに対しては、撮影予約の解除を指示する（ステップＳ４４）。
【００６２】
また、ＦＰＤでは、ステップＳ４４で送信された撮影予約の解除指令を受信し、メモリＦ３に登録していうた撮影予約、撮影オーダおよび放射線画像データを消去（ステップＳ４５）して終了する。
【００６３】
このように、登録していた撮影オーダが終了した場合に、ＦＰＤの「受付中」状態を解除することにより以降、他の制御端末ＣＳからの撮影オーダを受け付けることが可能となるので、同一の通信回線上に複数のコンソールと複数のＦＰＤを接続する放射線撮影システムにおいて、複数のコンソールから一つのＦＰＤが重複して登録されることを防ぎ、ひいては患者に対応する放射線画像の取り違えを防止するとともに、ＦＰＤを有効活用できる効率的な運用を行うことが可能となる放射線システムを得ることができる。
【図面の簡単な説明】
【００６４】
【図１】実施形態に係る放射線撮影システムの一部の概略図である。
【図２】放射線画像検出装置Ｆの外観図である。
【図３】実施形態に係る放射線撮影システムの概略図である。
【図４】実施形態に係る放射線撮影システムの制御フローを示す図である。
【図５】ＦＰＤ状態一覧作成のサブルーチン処理を示す図である。
【図６】各ＦＰＤの状態一覧を示す例である。
【図７】複数の撮影オーダを示した例である。
【図８】制御端末ＣＳにおける操作表示部Ｃ５の表示画面の詳細図である。
【図９】Ｓ１４サブルーチン処理を示す図である。
【図１０】その他の実施形態に係る放射線撮影システムの制御フローを示す図である。
【図１１】図１０の変形例を示す制御フローを示す図である。
【符号の説明】
【００６５】
Ｆ  放射線画像検出装置（ＦＰＤ）
Ｒ  照射装置
ＭＳ  管理サーバ
Ｒ６  放射線照射部
ＣＳ  制御端末（コンソール）
Ｃ５  操作表示部
２  無線アクセスポイント
Ｎ  通信回線（ネットワーク）
Ｆ１、Ｒ１、Ｃ１  制御部
Ｆ２、Ｒ２、Ｃ２  通信部
Ｆ３、Ｒ３、Ｃ３  メモリ
【図１】
2008167841.tif 000003
【図２】
2008167841.tif 000004
【図３】
2008167841.tif 000005
【図４】
2008167841.tif 000006
【図５】
2008167841.tif 000007
【図６】
2008167841.tif 000008
【図７】
2008167841.tif 000009
【図８】
2008167841.tif 000010
【図９】
2008167841.tif 000011
【図１０】
2008167841.tif 000012
【図１１】
2008167841.tif 000013